(57)【要約】【課題】複数の書式項目についての書式設定を容易且つ迅速に行い得る印刷装置および印刷装置の制御方法を提供する。【解決手段】本発明のテープ印刷装置１は、１以上の書式項目について、書式パラメーターを指定する書式パラメーター指定部３０ａと、指定された各書式パラメーターの集合体である書式ファイルを複数記憶するＲＯＭ８３と、印刷対象となるテキストを編集するテキスト編集部８１ａと、テキストの印刷指示を行う印刷指示部３０ｂと、印刷指示後、ＲＯＭ８３に記憶されている複数の書式ファイルの中からいずれかの書式ファイルを選択する書式ファイル選択部３０ｃと、選択された書式ファイルをテキストに反映する印刷データ生成部８１ｃと、生成した印刷データをテープ上に印刷する印刷ヘッド７と、を備えたことを特徴とする。【選択図】図２
2013158957.tif 000002
【特許請求の範囲】
【請求項１】
１以上の書式項目について、書式パラメーターを指定する書式パラメーター指定部と、
指定された各書式パラメーターの集合体である書式ファイルを、複数記憶する記憶部と、
印刷対象となるテキストを編集するテキスト編集部と、
前記テキストの印刷指示を行う印刷指示部と、
前記印刷指示後、前記記憶部に記憶されている複数の前記書式ファイルの中からいずれかの書式ファイルを選択する書式ファイル選択部と、
選択された前記書式ファイルを、前記テキストに反映して印刷する印刷部と、を備えたことを特徴とする印刷装置。
【請求項２】
前記記憶部は、各書式ファイルに識別番号を付加して記憶し、
前記印刷指示後における前記識別番号の仮選択操作により、当該識別番号に対応する前記書式ファイルを表示する書式ファイル表示部をさらに備え、
前記書式ファイル選択部は、前記書式ファイル表示後における前記識別番号の本選択操作により、前記書式ファイルを選択することを特徴とする請求項１に記載の印刷装置。
【請求項３】
前記記憶部は、各書式ファイルに識別番号を付加して記憶し、
前記印刷指示後における前記識別番号の仮選択操作により、当該識別番号に対応する前記書式ファイルを前記テキストに反映したプレビュー表示を行うプレビュー表示部をさらに備え、
前記書式ファイル選択部は、前記プレビュー表示後における前記識別番号の本選択操作により、前記書式ファイルを選択することを特徴とする請求項１に記載の印刷装置。
【請求項４】
前記印刷部は、選択された前記書式ファイルが、前記印刷対象となるテキストに反映可能か否かを判別し、反映可能と判定した場合に、印刷を行うことを特徴とする請求項１または２に記載の印刷装置。
【請求項５】
前記プレビュー表示部は、仮選択された前記識別番号の書式ファイルを、前記印刷対象となるテキストに反映可能か否かを判別し、反映可能と判定した場合に、プレビュー表示を行うことを特徴とする請求項３に記載の印刷装置。
【請求項６】
前記記憶部に記憶されている前記複数の書式ファイルのうち、前記印刷対象となるテキストに反映可能な書式ファイルを抽出する書式ファイル抽出部をさらに備え、
前記書式ファイル選択部は、抽出された前記書式ファイルの中からいずれかの書式ファイルを選択することを特徴とする請求項１ないし３のいずれか１項に記載の印刷装置。
【請求項７】
前記記憶部は、前記書式ファイルの保存を指示する所定の操作後、前記書式パラメーター指定部により前記書式パラメーターが指定された場合、前記書式ファイルを記憶し、
前記テキスト編集部は、前記所定の操作後に前記書式パラメーターが指定された場合、編集中のテキストに、指定された当該書式パラメーターを反映しないことを特徴とする請求項１ないし６のいずれか１項に記載の印刷装置。
【請求項８】
記憶手段を備えた印刷装置が、
１以上の書式項目について、書式パラメーターを指定する書式パラメーター指定ステップと、
指定された各書式パラメーターの集合体である書式ファイルを、前記記憶手段に複数記憶する記憶ステップと、
印刷対象となるテキストを編集するテキスト編集ステップと、
前記テキストの印刷指示を行う印刷指示ステップと、
前記印刷指示後、前記記憶手段に記憶されている複数の前記書式ファイルの中からいずれかの書式ファイルを選択する書式ファイル選択ステップと、
選択された前記書式ファイルを、前記テキストに反映して印刷する印刷ステップと、を実行することを特徴とする印刷装置の制御方法。
【発明の詳細な説明】
【技術分野】
【０００１】
入力したテキストを、所望の印刷書式で印刷可能な印刷装置および印刷装置の制御方法に関する。
【背景技術】
【０００２】
従来、この種の技術として、所望の印刷フォームを選択する印刷フォーム選択手段と、選択された印刷フォームにおける印刷書式の使用頻度順に、複数の印刷書式選択肢を表示する選択肢表示手段と、複数の印刷書式選択肢の中から所望の印刷書式を選択する印刷書式選択手段と、選択された印刷フォームおよび印刷書式にしたがって印刷を行う印刷手段と、を備えたテープ印刷装置が提案されている（例えば、特許文献１）。例えば、印刷フォームとして「名前フォーム」を用いる場合は、均一長さのラベルを作成するため、印刷書式として「定長印刷」が用いられることが多い。また、ファイルインデックス用の「見出しフォーム」を用いる場合は、短いラベルを作成するため、印刷書式として「余白」が用いられることが多い。これらの点に着目し、特許文献１では、どの印刷フォームを用いた場合でも、所望の印刷書式を比較的少ないキーで選択できる、といった効果を奏する。
【先行技術文献】
【特許文献】
【０００３】
【特許文献１】特開２００９−２２３６１３号公報
【発明の概要】
【発明が解決しようとする課題】
【０００４】
ところで、印刷書式を用いる場合、例えば書体設定「ゴシック」、飾り字設定「白文字（白抜き文字）」など、複数の書式項目について設定する場合がある。例えば、二つの書式項目について書式設定を行う場合、表示された書式項目候補の中から、一つ目の書式項目を選択して書式パラメーターの設定を行い、再度書式項目候補を表示させて、二つ目の書式項目を選択し、書式パラメーターの設定を行う。このように、書式項目ごとに書式設定を行う必要があるため、設定に時間がかかる。もちろん、特許文献１の技術を用いれば、書式設定のキー操作数を減らすことは可能であるが、印刷フォームを選択する手間が必要となると共に、設定したい書式項目の数が増えるほど操作が煩雑になるという問題点は解決できない。
【０００５】
本発明は、上記の問題点に鑑み、複数の書式項目についての書式設定を容易且つ迅速に行い得る印刷装置および印刷装置の制御方法を提供することを課題とする。
【課題を解決するための手段】
【０００６】
本発明の印刷装置は、１以上の書式項目について、書式パラメーターを指定する書式パラメーター指定部と、指定された各書式パラメーターの集合体である書式ファイルを、複数記憶する記憶部と、印刷対象となるテキストを編集するテキスト編集部と、テキストの印刷指示を行う印刷指示部と、印刷指示後、記憶部に記憶されている複数の書式ファイルの中からいずれかの書式ファイルを選択する書式ファイル選択部と、選択された書式ファイルを、テキストに反映して印刷する印刷部と、を備えたことを特徴とする。
【０００７】
本発明の印刷装置の制御方法は、記憶手段を備えた印刷装置が、１以上の書式項目について、書式パラメーターを指定する書式パラメーター指定ステップと、指定された各書式パラメーターの集合体である書式ファイルを、記憶手段に複数記憶する記憶ステップと、印刷対象となるテキストを編集するテキスト編集ステップと、テキストの印刷指示を行う印刷指示ステップと、印刷指示後、記憶手段に記憶されている複数の書式ファイルの中からいずれかの書式ファイルを選択する書式ファイル選択ステップと、選択された書式ファイルを、テキストに反映して印刷する印刷ステップと、を実行することを特徴とする。
【０００８】
これらの構成によれば、１以上の書式項目について指定された各書式パラメーターの集合体を書式ファイルとして記憶しておき、これを呼び出して書式設定を行うことができる。つまり、設定する書式項目の数によらず、容易且つ迅速に書式設定を行うことができる。また、印刷指示後に書式ファイルを選択する構成であるため、ユーザーが書式設定を忘れることがない。さらに、複数の書式ファイルを記憶しておくことで、テキストに反映する書式ファイルを必要に応じて使い分けることができるため、利便性が良い。
なお、「書式」とは、文字や文書の体裁に関する設定を指すものであり、書体や飾り字など文字モードの設定、縦書き／横書きや文字サイズなど段落スタイルの設定、定長印刷や余白など文章書式の設定を含む。また、カラー印刷装置の場合、カラー設定を含む。
【０００９】
上記の印刷装置において、記憶部は、各書式ファイルに識別番号を付加して記憶し、印刷指示後における識別番号の仮選択操作により、当該識別番号に対応する書式ファイルを表示する書式ファイル表示部をさらに備え、書式ファイル選択部は、書式ファイル表示後における識別番号の本選択操作により、書式ファイルを選択することを特徴とする。
【００１０】
この構成によれば、識別番号の仮選択操作により書式ファイル（１以上の書式項目に関する各書式パラメーター）を表示するため、ユーザーは、予め書式ファイルの内容を確認した上で、所望の書式ファイルを選択することができる。
【００１１】
上記の印刷装置において、記憶部は、各書式ファイルに識別番号を付加して記憶し、印刷指示後における識別番号の仮選択操作により、当該識別番号に対応する書式ファイルをテキストに反映したプレビュー表示を行うプレビュー表示部をさらに備え、書式ファイル選択部は、プレビュー表示後における識別番号の本選択操作により、書式ファイルを選択することを特徴とする。
【００１２】
この構成によれば、識別番号の仮選択操作により書式ファイルをテキストに反映したプレビュー表示を表示するため、ユーザーは、予めプレビュー表示を確認した上で、所望の書式ファイルを選択することができる。また、書式パラメーターから印刷結果を推測できない不慣れなユーザーであっても、プレビュー表示により、印刷結果を把握できる。
【００１３】
上記の印刷装置において、印刷部は、選択された書式ファイルが、印刷対象となるテキストに反映可能か否かを判別し、反映可能と判定した場合に、印刷を行うことを特徴とする。
【００１４】
この構成によれば、選択された書式ファイルをテキストに反映できない場合（用紙サイズが不足する場合や、定長印刷設定に対して入力されているテキストが多すぎる場合など）、ユーザーの意図に反した印刷を防止できる。
なお、選択された書式ファイルを反映不可能と判定した場合、その旨を示すエラー表示を行うことが好ましい。
【００１５】
上記の印刷装置において、プレビュー表示部は、仮選択された識別番号の書式ファイルを、印刷対象となるテキストに反映可能か否かを判別し、反映可能と判定した場合に、プレビュー表示を行うことを特徴とする。
【００１６】
この構成によれば、選択された書式ファイルをテキストに反映できない場合（用紙サイズが不足する場合や、定長印刷設定に対して入力されているテキストが多すぎる場合など）、プレビュー表示を行わないことで、ユーザーの意図に反した印刷を防止できる。
【００１７】
上記の印刷装置において、記憶部に記憶されている複数の書式ファイルのうち、印刷対象となるテキストに反映可能な書式ファイルを抽出する書式ファイル抽出部をさらに備え、書式ファイル選択部は、抽出された書式ファイルの中からいずれかの書式ファイルを選択することを特徴とする。
【００１８】
この構成によれば、印刷対象となるテキストに反映可能な書式ファイルだけが選択候補となり、候補数が絞られるため、選択が容易である。
【００１９】
上記の印刷装置において、記憶部は、書式ファイルの保存を指示する所定の操作後、書式パラメーター指定部により書式パラメーターが指定された場合、書式ファイルを記憶し、テキスト編集部は、所定の操作後に書式パラメーターが指定された場合、編集中のテキストに、指定された当該書式パラメーターを反映しないことを特徴とする。
【００２０】
この構成によれば、書式ファイルの保存が指示された場合、編集中のテキストには、指定された書式パラメーターが反映されないため、保存用の書式ファイルの指定と、編集用の書式ファイルの指定を区別することができる。
【図面の簡単な説明】
【００２１】
【図１】本発明の一実施形態に係るテープ印刷装置の外観斜視図である。
【図２】テープ印刷装置の制御ブロック図である。
【図３】指定可能な書式項目の一覧を示す図である。
【図４】一部の書式項目について、指定可能な書式パラメーターを示す図である。
【図５】書式登録の流れを示す画面遷移図である。
【図６】（ａ）は、書式呼出の流れを示す画面遷移図であり、（ｂ）は、印刷されたラベルイメージを示す図である。
【発明を実施するための形態】
【００２２】
以下、本発明の一実施形態について、添付図面を参照しながら詳細に説明する。本実施形態では、請求項における「印刷装置」を、テープ上に印刷を行うテープ印刷装置に適用した場合について説明する。図１は、本実施形態に係るテープ印刷装置１の開閉蓋２１を開いた状態の外観斜視図である。図１に示すようにテープ印刷装置１は、装置ケース２により外郭が形成され、装置ケース２の前部上面には各種入力キー・ボタンを備えたキーボード３が配置されると共に、後部上面には、その左部に開閉蓋２１が取り付けられ、その右部には表示画面４１が配設されている。
【００２３】
開閉蓋２１の内側にはテープカートリッジＣを装着するためのカートリッジ装着部６が窪入形成されており、テープカートリッジＣは、開閉蓋２１を開放した状態でカートリッジ装着部６に着脱可能に装着される。また、開閉蓋２１にはこれを閉じた状態でテープカートリッジＣの装着／非装着を視認するための覗き窓２１ａが形成されている。
【００２４】
キーボード３には、文字キー群３ａ、および各種動作モード等を指定するための機能ボタン群３ｂが配列されている。文字キー群３ａは、ＪＩＳ配列に基づいたフルキー構成であり、操作するキー数の増加を抑えるための［シフト］キーを備えるなど、一般のワードプロセッサー等と同様である。
【００２５】
また、機能ボタン群３ｂには、［印刷］ボタン、［カーソル］ボタンおよび［選択］ボタンが含まれる。［印刷］ボタンは、印刷を指示するためのボタンである。ユーザーは、文字キー群３ａによるテキスト入力後、［印刷］ボタンを押下することで、入力情報（作成された文書）に基づく印刷を実行させる。［カーソル］ボタンは、上下左右ボタン（上カーソルボタン、下カーソルボタン、左カーソルボタン、右カーソルボタン）から成り、カーソル移動を行うためのボタンである。なお、上下左右ボタンは、以下［↑］ボタン、［↓］ボタン、［←］ボタン、［→］ボタンと表記する。また、［選択］ボタンは、選択操作やテキストの改行操作を行うためのボタンである。
【００２６】
さらに、機能ボタン群３ｂには、[編集]ボタン３１および[書式保存]ボタン３２が含まれる。[編集]ボタン３１は、編集中のテキストに書式設定を行うためのボタンであり、当該ボタンの押下後、図３に示す各書式項目について書式パラメーターを指定可能となっている。また、[書式保存]ボタン３２は、ユーザーが指定した書式パラメーターをまとめて保存するためのボタンであり、当該ボタンの押下後、図３に示す各書式項目について書式パラメーターを指定可能となっている。詳細については、後述する。
【００２７】
表示画面４１は、液晶ディスプレーであり、ユーザーが、キーボード３を用いて入力した入力情報に基づく編集結果や、印刷プレビュー（編集結果に基づいて生成された印刷データ）等を確認するために用いられる。
【００２８】
装置ケース２の左側部には、カートリッジ装着部６と外部とを連通するテープ排出口２２が形成され、このテープ排出口２２には、不図示のテープ搬送機構により送り出したテープＴを切断するためのテープカッター２３が臨んでいる。そして、テープ排出口２２から印刷済みのテープＴが所定長さだけ送り出され、送りを一旦停止させた状態で、この印刷済みのテープＴがテープカッター２３により切断されて、短冊状のラベルＬ（図６（ｂ）参照）を作成する。
【００２９】
一方、カートリッジ装着部６には、ヘッドカバー６１ａ内にサーマルタイプの印刷ヘッド７が内蔵されたヘッドユニット６１と、印刷ヘッド７に対峙するプラテン駆動軸６２と、後述のインクリボンＲを巻き取る巻き取り駆動軸６３と、後述のテープリール１７の位置決め突起６４とを備えている。また、カートリッジ装着部６の下側には、テープ搬送機構となるプラテン駆動軸６２および巻き取り駆動軸６３を回転させるテープ送りモーター２６（図２参照）が内蔵されている。
【００３０】
テープカートリッジＣは、カートリッジケース５１内部の上部中央部に、一定の幅（４ｍｍ〜４８ｍｍ程度）のテープＴを巻回したテープリール１７と、右下部にインクリボンＲを巻回したリボンリール１９とを収容して構成されており、テープＴとインクリボンＲは同じ幅で構成されている。また、テープリール１７の左下部には前記ヘッドユニット６１を覆うヘッドカバー６１ａが差し込まれるための貫通孔５５が形成されている。さらに、貫通孔５５に差し込まれたヘッドユニット６１と、プラテン駆動軸６２に嵌合されて回転駆動するプラテンローラー５３とは、テープＴとインクリボンＲとが重なる部分に対応して配置されている。一方、リボンリール１９に近接してリボン巻き取りリール５４が配置され、リボンリール１９から繰り出されたインクリボンＲは、ヘッドカバー６１ａを周回するように、リボン巻き取りリール５４に巻き取られるようになっている。つまり、貫通孔５５の周壁のリボン走行路を経由して、リボン巻き取りリール５４に巻き取られるようになっている。
【００３１】
テープカートリッジＣがカートリッジ装着部６に装着されると、ヘッドカバー６１ａに貫通孔５５が、位置決め突起６４にテープリール１７の中心孔が、巻き取り駆動軸６３にリボン巻き取りリール５４の中心孔がそれぞれ差し込まれ、テープＴおよびインクリボンＲを挟み込んで印刷ヘッド７がプラテンローラー５３に当接して印刷が可能になる。その後、ユーザーが表示画面４１の編集結果を確認しながらキーボード３を用いて所望の文書（文字、数字、記号、簡易図形などのテキストや画像）を入力し、印刷を指示すると、テープ印刷装置１は、テープ送りモーター２６によりテープカートリッジＣからテープＴを繰り出し、印刷ヘッド７の発熱素子を選択的に発熱させる印字動作によりテープＴに印刷を行う。テープＴの印刷済み部分はテープ排出口２２から随時外部に送り出され、印刷を完了すると、テープ送りモーター２６により、余白分を含むテープ長さの位置までテープＴの送りを行い停止する。その後、カッターモーター２５（図２参照）により、テープカッター２３を駆動し、テープＴをその幅方向に切断する。
【００３２】
一方、テープＴは、裏面に粘着剤層が形成された記録テープＴａと、この粘着剤層により記録テープＴａに貼り付けられた剥離テープＴｂとから構成されている。そして、テープＴは、記録テープＴａを外側にし、且つ剥離テープＴｂを内側にしてロール状に巻回されてカートリッジケース５１内に収容されている。また、テープＴは、テープ種別（テープ幅、テープの地色、地模様、材質など）が異なる複数種のものが用意されており、各カートリッジケース５１には、このうち１種類のテープＴ（およびインクリボンＲ）が収容されている。また、カートリッジケース５１の裏面にはテープカートリッジＣの種別を特定する複数の孔（図示省略）が設けられている。また、複数の孔に対応してカートリッジ装着部６には、これらを検出するテープ識別センサー（マイクロスイッチ等）２７（図２参照）が、複数設けられており、このテープ識別センサー２７により複数の孔の状態を検出することで、テープ種別を判別できるようになっている。
【００３３】
次に、図２の制御ブロック図を参照し、テープ印刷装置１の制御構成について説明する。テープ印刷装置１は、ＣＰＵ（Central  Processing  Unit）８１、ＲＡＭ（Random  Access  Memory）８２、ＲＯＭ（Read  Only  Memory）８３、表示画面４１、キーボード３、カッターモーター２５、テープカッター２３、テープ送りモーター２６、印刷ヘッド７およびテープ識別センサー２７を備えている。これらのうち、ＲＡＭ８２およびＲＯＭ８３は、ＣＰＵ８１とバス８５を介して接続され、その他の構成要素はＣＰＵ８１と直接接続されている。
【００３４】
ＲＡＭ８２は、ＣＰＵ８１が各種制御を行う際のワークエリアとして用いられる。ＲＯＭ８３は、ＣＰＵ８１が各種制御を行うための制御プログラムおよび制御情報を記憶している。制御プログラムとしては、書式ファイルの登録・呼出を行うための書式ファイル処理プログラム、表示画面４１の表示制御を行うための表示制御プログラム、印刷制御を行うための印刷制御プログラム等を記憶している（図示省略）。また、制御データとしては、複数の書式ファイルを記憶している（記憶部，記憶手段）。
【００３５】
ここで、「書式ファイル」とは、１以上の書式項目に関する各書式パラメーターの集合体を意味する。上述の通り、[書式保存]ボタン３２の押下により、図３に示す各書式項目について書式パラメーターの指定が可能であるが、その指定結果を書式ファイルとしてＲＯＭ８３内に記憶する。その際、各書式ファイルには、ユーザーが指定した書式ファイル番号（識別番号）を紐付ける。また、当該書式ファイル番号によって、各書式ファイルを呼び出す。
【００３６】
なお、書式ファイルについては、ＲＯＭ８３とは別個の記憶媒体（例えば、フラッシュＲＯＭなど）に記憶させても良い。また、テープ印刷装置１に着脱可能な記憶媒体に記憶させても良いし、テープ印刷装置１がネットワーク接続可能な場合は、ネットワーク上のサーバー（図示省略）に記憶させても良い。
【００３７】
ＣＰＵ８１は、中央処理装置であり、テキスト編集部８１ａ、書式ファイル呼出部８１ｂおよび印刷データ生成部８１ｃとして機能する。テキスト編集部８１ａは、入力情報に基づいて印刷対象となるテキスト（文書）を編集する。書式ファイル呼出部８１ｂは、ＲＯＭ８３に記憶されている１以上の書式ファイルの中からユーザーが選択した書式ファイルを呼び出す。印刷データ生成部８１ｃは、印刷対象となるテキスト（印刷指示時に編集されていたテキスト）に、呼び出した書式ファイル（１以上の書式項目に関する各書式パラメーター）を反映させて、印刷データを生成する。なお、請求項における「印刷部」は、印刷データ生成部８１ｃおよび印刷ヘッド７の両方を含む概念である。
【００３８】
表示画面４１は、書式ファイル表示部４１ａとして機能する。書式ファイル表示部４１ａは、[印刷]ボタンの押下により印刷指示が行われた後、書式ファイル番号が仮選択されたときに、当該書式ファイル番号に対応する書式ファイルの登録情報（書式パラメーター）を表示する。これにより、ユーザーは印刷実行前に、反映される書式内容を把握できる。
【００３９】
キーボード３は、書式パラメーター指定部３０ａ、印刷指示部３０ｂおよび書式ファイル選択部３０ｃとして機能する。書式パラメーター指定部３０ａは、[書式保存]ボタン３２の押下後、１以上の書式項目について書式パラメーターを指定する。印刷指示部３０ｂは、[印刷]ボタンの押下により、印刷実行を指示する。また、書式ファイル選択部３０ｃは、[印刷]ボタンの押下後、登録しておいた書式ファイルの中から所望の書式ファイルを選択する。
【００４０】
カッターモーター２５は、テープカッター２３と接続され、印刷済みのテープＴを切断する。また、テープ送りモーター２６および印刷ヘッド７は、テープＴを搬送しながら当該テープＴ上に印刷を行う。また、テープ識別センサー２７は、テープカートリッジＣに収容されたテープＴの種別を検出する。ＣＰＵ８１は、このテープ識別センサー２７の検出結果に基づいて（テープの幅や材質等に基づいて）、入力情報として入力可能な行数、文字数および文字サイズの制限、切断可能なテープＴであるか否かの判別を行う。また、ＣＰＵ８１は、テープ識別センサー２７の検出結果と、印刷対象となるテキストと、選択された書式ファイルに基づいて、選択された書式ファイルを印刷対象となるテキストに反映可能であるか否かを判別する。ＣＰＵ８１の判別により、入力不能、切断不能、反映不能と判定した場合は、表示画面４１にエラーメッセージを表示する。その他、ＣＰＵ８１は、キーボード３から入力された指示にしたがって、表示画面４１の表示制御、並びに印刷ヘッド７、カッターモーター２５、テープ送りモーター２６の駆動制御を行う。
【００４１】
次に、図３および図４を参照し、指定可能な書式項目および書式パラメーターについて説明する。図３は、指定可能な書式項目の一覧を示す図である。本実施形態では、書式分類として、「文字モード」、「段落スタイル」および「文章書式」を指定可能であり、それぞれ「指定範囲」欄に示すように、対象となる範囲を指定可能である。また、各書式分類の中では、「書式項目」欄に示す書式項目の指定が可能であり、その内容は「内容」欄に示す通りである。なお、「段落」とは、１以上の行の集合体を指す。また、「文章」とは１枚のラベルＬに印刷される文書全体を指す。
【００４２】
なお、[編集]ボタン３１および[書式保存]ボタン３２を押下した場合に指定可能な書式項目および書式パラメーターは、図３に示すとおりであり（同一であり）、指定操作の手順も同様である。但し、[編集]ボタン３１の押下後に書式指定された場合は、編集中のテキストにその書式が反映され、[書式保存]ボタン３２の押下後に書式指定された場合は、編集中のテキストにその書式が反映されず、書式ファイルとして登録される点で異なる。
【００４３】
図４は、書式項目「書体」および「飾り字」について、指定可能な書式パラメーターを示す図である。同図において、囲み線で囲んだ書式パラメーターは、各書式項目におけるデフォルト値を示す。「デフォルト値」とは、その書式項目に対しユーザーによって書式パラメーターの指定が行われなかった場合に自動設定される書式パラメーターを意味する。なお、書式ファイルとしては、指定可能な全ての書式項目についての書式パラメーターを記憶する。したがって、指定可能な書式項目が同図に示す２項目の場合、「書体：明朝体／飾り字：ふつう」のように書式ファイルを記憶する。なお、説明を分かりやすくするため、指定可能な書式項目はこれら２項目だけであるものとして、以下説明する。
【００４４】
次に、図５を参照し、書式登録の流れについて説明する。まず、テキスト編集画面において、画面Ｄ０１に示すテキスト「Ｔｈａｎｋ  ｙｏｕ」が入力されているものとする。なお、符号Ｍ１は、１行目の行頭マークを示す。また、符号Ｋは、カーソル（編集位置）を示す。
【００４５】
画面Ｄ０１の状態で、[書式保存]ボタン３２が押下されると、書式ファイル登録画面を表示する（画面Ｄ０２）。書式ファイル登録画面では、書式ファイルを識別するための書式ファイル番号を選択する。ここでは、最初の登録番号「０１」を反転表示した状態で[↓]ボタンが押下され、さらに「０２」を反転表示した状態（画面Ｄ０３）で[選択]ボタンが押下されることにより、書式ファイル番号「０２」が選択されたものとする。なお、書式ファイル登録画面では、書式ファイル番号候補として、未登録の番号のみを表示しても良いし、登録／未登録に限らず、「０１」から登録可能な最大値「＊＊」までを［カーソル］キーの押下ごとに順次表示しても良い。後者の場合、登録済みの書式ファイル番号が選択されると、登録済みである旨を示すエラー表示を行う。
【００４６】
書式ファイル番号が選択されると、続いて書体選択画面を表示する（画面Ｄ０４）。書体選択画面では、書式項目「書体」について書式パラメーターを選択する。最初に表示される書式パラメーターは、デフォルト値である（図４参照）。ここでは、[↓]ボタンが押下され、「ゴシック」を反転表示した状態（画面Ｄ０５）で[選択]ボタンが押下されることにより、書式パラメーター「ゴシック」が選択されたものとする。
【００４７】
書式項目「書体」について書式パラメーターが選択されると、続いて飾り字選択画面を表示する（画面Ｄ０６）。飾り字選択画面では、書式項目「飾り字」について書式パラメーターを選択する。ここでは、デフォルト値「ふつう」を反転表示した状態から[↓]ボタンが押下され、「白文字」を反転表示した状態（画面Ｄ０７）で[選択]ボタンが押下されることにより、書式パラメーター「白文字」が選択されたものとする。
【００４８】
本実施形態では、書式項目が２項目のみ指定可能であるため、以上の操作で書式指定が完了し、登録実行画面を表示する（画面Ｄ０８）。当該登録実行画面が表示されている間に、ＲＯＭ８３内に書式ファイル番号「０２」の書式ファイル「書体：ゴシック／飾り字：白文字」が登録される。登録実行画面を数秒間表示した後は、テキスト編集画面に戻る（画面Ｄ０９，画面Ｄ０１と同様）。なお、画面Ｄ０２〜Ｄ０８にて指定された書式パラメーターは、画面Ｄ０９に反映されていない。また、仮に画面Ｄ０１の時点で、テキスト「Ｔｈａｎｋ  ｙｏｕ」に書式設定されていた場合（デフォルト値以外の書式パラメーターが設定されていた場合）は、画面Ｄ０９の時点でも同様の書式設定が行われた状態となる。
【００４９】
次に、図６（ａ）を参照し、書式呼出の流れについて説明する。テキスト編集画面では、画面Ｄ１１に示すテキスト「Ｗｅｌｃｏｍｅ」が入力されているものとする。この状態で、[印刷]ボタンが押下されると、書式ファイル呼出画面を表示する（画面Ｄ１２）。書式ファイル呼出画面では、呼び出したい書式ファイル番号を選択する（書式ファイル選択部３０ｃ）。ここでは、最初の呼出番号「０１」を反転表示した状態で[↓]ボタンが押下され、「０２」を反転表示した状態（画面Ｄ１３）で[選択]ボタンが押下されることにより、書式ファイル番号「０２」が選択されたものとする。なお、書式ファイル呼出画面では、書式ファイル番号候補として、登録済みの番号のみを表示しても良いし、登録／未登録に限らず、「０１」から登録可能な最大値「＊＊」までを［カーソル］キーの押下ごとに順次表示しても良い。後者の場合、未登録の書式ファイル番号が選択されると、未登録である旨を示すエラー表示を行う。
【００５０】
書式ファイル呼出画面で、書式ファイル番号が選択されると、登録情報確認画面を表示する（画面Ｄ１４）。登録情報確認画面では、書式ファイル番号「０２」の書式ファイルを表示する（書式ファイル表示部４１ａ）。なお、同図の例では、書式パラメーター「ゴシック／白文字」のみを表示しているが、書式項目と書式パラメーターを対応付けて表示しても良い。また、デフォルト値以外の書式パラメーターのみを表示しても良い。つまり、書式ファイル「書体：ゴシック／飾り字：ふつう」の場合、登録情報確認画面では、「ゴシック」のみ表示しても良い。
【００５１】
登録情報確認画面を表示している状態で、再度[選択]ボタンが押下されると、印刷実行画面を表示し（画面Ｄ１５）、印刷を実行する。なお、書式ファイル呼出画面（画面Ｄ１３）の表示状態における[選択]ボタンの押下は、書式ファイル番号の仮選択を意味し、登録情報確認画面（画面Ｄ１４）の表示状態における[選択]ボタンの押下は、書式ファイル番号の本選択を意味する。以上画面Ｄ１１〜Ｄ１５の操作によって作成されるラベルＬは、図６（ｂ）に示すとおりである。つまり、テキスト「Ｗｅｌｃｏｍｅ」に、書式ファイル「書体：ゴシック／飾り字：白文字」が反映された結果が印刷される。
【００５２】
なお、仮に画面Ｄ１１の時点で、テキスト「Ｗｅｌｃｏｍｅ」に書式設定されていた場合でも、書式ファイルの選択によって、当該書式ファイルの設定が上書きされる。但し、画面Ｄ１１の時点でデフォルト値以外の印刷書式が設定されている場合は、書式ファイルの仮選択時または本選択時に、「書式設定を上書きしますか？」などのメッセージを表示し、ユーザーが「上書きする」旨の操作を行った場合のみ、書式ファイルの設定を上書きするようにしても良い。
【００５３】
また、特に図示しないが、書式ファイル呼出画面で選択された書式ファイルを、印刷対象となるテキストに反映できない場合、書式ファイルの仮選択時または本選択時に、エラー画面を表示する。例えば、定長印刷設定に対して、入力されているテキストの文字が多すぎる場合や、テープＴのテープ幅に対して、指定された文字サイズが大きすぎる場合などが考えられる。その場合は、書式ファイルの再選択またはテキストの再編集を促す。
【００５４】
また、特に図示しないが、書式ファイルの呼び出しを必要としない場合は、書式ファイル呼出画面にてキャンセル操作を行うか、選択肢「なし」を選択すれば良い。これにより、全書式項目についてデフォルト設定された印刷書式、若しくはテキスト編集画面（画面Ｄ１１）で書式設定した印刷書式にて印刷を行うことができる。
【００５５】
以上説明したとおり、本実施形態によれば、１以上の書式項目について指定された各書式パラメーターの集合体を書式ファイルとして記憶しておき、これを呼び出して書式設定を行うことができる。これにより、設定する書式項目の数によらず、容易且つ迅速に書式設定を行うことができる。また、印刷指示後に書式ファイルを選択する構成であるため、ユーザーが書式設定を忘れることがない。さらに、複数の書式ファイルを記憶しておくことで、テキストに反映する書式ファイルを必要に応じて使い分けることができるため、利便性が良い。
【００５６】
また、書式ファイル呼出画面における書式ファイル番号の仮選択時に、書式ファイルの登録情報を表示するため、ユーザーは、印刷実行前に、印刷結果を推測することができる。また、選択された書式ファイル番号の書式ファイルをテキストに反映できない場合、エラー表示を行うため、ユーザーの意図に反した印刷を防止できる。
【００５７】
また、編集中のテキストに対する書式指定操作と、書式ファイル保存時の書式指定操作を、ほぼ同様の手順で行うことができるため、操作が分かり易い。また、書式ファイルの保存時に、テキスト編集画面に入力されていたテキストには、指定された書式ファイルが反映されないため、任意のタイミングで（編集中のテキストを意識することなく）、書式ファイルの保存を行うことができる。
【００５８】
[変形例１]
なお、以下の変形例を採用しても良い。上記の実施形態では、印刷指示後における書式ファイル番号の仮選択操作により、当該書式ファイル番号に対応する書式ファイルの登録情報を表示したが（書式ファイル表示部４１ａ，図６Ｄ１４参照）、これに代えて、仮選択された書式ファイル番号に対応する書式ファイルをテキストに反映したプレビュー表示を行っても良い（プレビュー表示部）。また、この場合、仮選択された書式ファイルを、印刷対象となるテキストに反映可能か否かを判別し、反映可能と判定した場合のみ、プレビュー表示を行うことが好ましい。これらの構成によれば、書式パラメーターから印刷結果を推測できない不慣れなユーザーであっても、プレビュー表示により、印刷結果を把握した上で印刷を実行させることができる。また、選択された書式ファイルをテキストに反映できない場合にプレビュー表示を行わないことで、ユーザーの意図に反した印刷を防止できる。
【００５９】
[変形例２]
また、上記の実施形態では、書式ファイル呼出画面において、ＲＯＭ８３内に記憶されている全ての書式ファイルの書式ファイル番号を表示するものとしたが、印刷対象となるテキストに反映可能な書式ファイルの書式ファイル番号のみを表示しても良い。つまり、［印刷］ボタンの押下時に、ＣＰＵ８１によりＲＯＭ８３内に記憶されている全書式ファイルを対象として、テキスト編集画面に表示されているテキストに反映可能か否かを判別し、反映可能と判定した書式ファイルのみを抽出して（書式ファイル抽出部）、書式ファイル呼出画面にその書式ファイル番号を表示しても良い。この構成によれば、印刷対象となるテキストに反映可能な書式ファイルだけが選択候補となり、候補数が絞られるため、書式ファイルの選択操作が容易となる。
【００６０】
[変形例３]
また、上記の実施形態では、複数の書式ファイルを登録可能としたが、書式ファイルを１つのみ登録可能としても良い。この場合、書式ファイル登録画面および書式ファイル呼出画面における書式ファイル番号の選択操作を省略できる。
【００６１】
[変形例４]
また、上記の実施形態では、予め（画面Ｄ１１の時点で）テキストに書式設定されていた状態で、印刷指示後に（画面Ｄ１２〜Ｄ１４の操作で）書式ファイルが選択された場合、選択された書式ファイルを上書きするものとしたが、予め設定されていた書式設定を優先するか、印刷指示後に選択された書式ファイルを優先するかを選択する選択画面を表示しても良い。また、その際、各書式設定を反映した２つの印刷プレビューを、表示画面４１上で比較できるように表示しても良い。この構成によれば、書式設定を行ったことを忘れて、印刷指示後に書式ファイルの選択を行ってしまった場合など、最終的に両方のプレビュー表示を確認した上で、好みの印刷書式を選択することができる。また、選択画面の表示は、予め設定されていた書式設定がデフォルト値以外の場合のみ行っても良い。
【００６２】
[変形例５]
また、上記の実施形態では、書式ファイル呼出画面において１つの書式ファイルのみを選択可能としたが２つ以上の書式ファイルを選択可能としても良い。例えば、書式ファイル番号「０１」の書式ファイルが「書体：ゴシック」であり、書式ファイル番号「０２」の書式ファイルが「飾り字：白文字」である場合であって、これら２つの書式ファイルが選択された場合、書式パラメーター「書体：ゴシック／飾り字：白文字」を反映しても良い。
【００６３】
[変形例６]
また、上記の実施形態では、書式ファイルとして、全ての書式項目についての書式パラメーターを記憶するものとしたが、デフォルト値以外の書式パラメーターのみを記憶する構成としても良い。例えば、書式パラメーター「書体：ゴシック／飾り字：ふつう」が指定された場合は、書式ファイルとして「書体：ゴシック」を記憶する（「飾り字：ふつう」の記憶を省略する）。この構成によれば、書式ファイルのデータ量を少なくすることができる。
【００６４】
[変形例７]
また、上記の実施形態では、印刷指示後に書式ファイルを選択したが、テキスト編集中に書式ファイルを選択して呼び出す構成でも良い。
【００６５】
[変形例８]
また、上記の実施形態では印刷装置を採用しているが、印刷データを編集する文書作成装置と、印刷データを印刷する印刷装置で構成される印刷システムを採用してもよい。文書作成装置としては、例えばパーソナルコンピューター、携帯情報端末またはタブレットＰＣなどの情報処理装置に専用のアプリケーションを実行させるように構成したもの、または専用ハードウェアで構成されたものなどが採用できる。この構成の場合、印刷データを編集する文書作成装置において、テキスト編集中に書式ファイルを選択して呼び出す構成としたり、文書作成装置において印刷指示を行った後に書式ファイルを呼び出す構成としたりすれば良い。また、印刷装置は、文書作成装置で編集された印刷データに基づいて印刷を行う構成とすればよい。
【００６６】
なお、上記の実施形態および各変形例に示した、テープ印刷装置１および文書作成装置の各構成要素をプログラムとして提供することが可能である。また、そのプログラムを各種記録媒体（ＣＤ−ＲＯＭ、フラッシュメモリー等）に格納して提供することも可能である。すなわち、コンピューターを、テープ印刷装置１の各部として機能させるためのプログラム、およびそれを記録した記録媒体も、本発明の権利範囲に含まれるものである。また、テープ印刷装置１以外の印刷装置（カラー印刷装置を含む）に、本実施形態を適用しても良い。その他、本発明の要旨を逸脱しない範囲で、適宜変更が可能である。
【符号の説明】
【００６７】
１…テープ印刷装置  ３…キーボード  ７…印刷ヘッド  ３０ａ…書式パラメーター指定部  ３０ｂ…印刷指示部  ３０ｃ…書式ファイル選択部  ３１…［編集]ボタン  ３２…[書式保存]ボタン  ４１ａ…書式ファイル表示部  ８１ａ…テキスト編集部  ８１ｂ…書式ファイル呼出部  ８１ｃ…印刷データ生成部  Ｋ…カーソル  Ｌ…ラベル  Ｔ…テープ
【図１】
2013158957.tif 000003
【図２】
2013158957.tif 000004
【図３】
2013158957.tif 000005
【図４】
2013158957.tif 000006
【図５】
2013158957.tif 000007
【図６】
2013158957.tif 000008